(57)【要約】  【課題】ＭＰＥＧ方式で圧縮符号化された映像信号を、デコード部の処理性能を低く抑えて、滑らかな高速再生映像を得ることができる画像復号処理装置を提供する。  【解決手段】  圧縮符号化した映像信号のＧＯＰの構成がＩ１，Ｂ２，Ｂ３，Ｐ４，Ｂ５、Ｂ６，Ｐ７，Ｂ８，Ｂ９，Ｐ１０，Ｂ１１，Ｂ１２，Ｐ１３，Ｂ１４，Ｂ１５であることを識別し、該ＧＯＰからＩ１，Ｂ２，Ｐ４，Ｐ７，Ｐ１０，Ｂ１２を選択して復号し、復号したフレームデータから、さらにＢ２，Ｐ４，Ｂ１２を選択して表示する。【選択図】  図２
2005348068.tif 000002
【特許請求の範囲】
【請求項１】
特定のフレームパターンで構成される、１からｎ番までのピクチャ番号が付されたフレームデータからなるピクチャ群から、所定のピクチャ番号のフレームデータを選択して復号する選択復号を行うデコード部と、
前記デコード部により復号されたフレームデータのうちで、所定のピクチャ番号のフレームデータを選択して表示する選択表示を行う表示部とを有する、
ことを特徴とする画像復号処理装置。
【請求項２】
請求項1に記載の画像復号処理装置において、
入力されたピクチャ群が、前記特定のフレームパターンで構成されるピクチャ群か、或いは前記特定のフレームパターンで構成されるピクチャ群以外のピクチャ群かを識別する識別処理を行う識別部を備え、
前記デコード部、及び前記表示部は、前記識別部が前記特定のフレームパターンで構成されるピクチャ群が入力されたことを識別した際に、前記選択復号、及び前記選択表示をそれぞれ行う、
ことを特徴とする画像復号処理装置。
【請求項３】
請求項２に記載の画像復号処理装置において、
前記識別部による識別結果に基づいて、入力された全てのピクチャ群に対する、特定のフレームパターンで構成されるピクチャ群の出現率を検出する出現率検出部をさらに備え、
前記識別部、前記デコード部、及び前記表示部は、所定の倍速での再生命令がなされた際の前記出現率検出部の検出結果が、予め定められた所定の出現率以上の場合には、以降に入力されるピクチャ群に対して、前記識別処理、前記選択復号、及び前記選択表示をそれぞれ行う、
ことを特徴とする画像復号処理装置。
【請求項４】
請求項１から請求項３の何れかに記載の画像復号処理装置において、
前記特定のフレームパターンで構成されるピクチャ群は、ピクチャ番号１が付されたＩフレーム、Ｉ１と、ピクチャ番号４，７，１０，１３がそれぞれ付されたＰフレーム、Ｐ４，Ｐ７，Ｐ１０，Ｐ１３と、ピクチャ番号２，３，５，６，８，９，１１，１２，１４，１５がそれぞれ付されたＢフレーム、Ｂ２、Ｂ３，Ｂ５、Ｂ６，Ｂ８，Ｂ９，Ｂ１１，Ｂ１２，Ｂ１４，Ｂ１５とを、Ｉ１，Ｂ２，Ｂ３，Ｐ４，Ｂ５、Ｂ６，Ｐ７，Ｂ８，Ｂ９，Ｐ１０，Ｂ１１，Ｂ１２，Ｐ１３，Ｂ１４，Ｂ１５の順番で構成したピクチャ群であり、
前記デコード部が、ピクチャ番号が１，２，４，７，１０，１２であるＩ１，Ｂ２，Ｐ４，Ｐ７，Ｐ１０，Ｂ１２を選択して復号し、
前記表示部が、前記デコード部により復号されたＩ１，Ｂ２，Ｐ４，Ｐ７，Ｐ１０，Ｂ１２のうちで、ピクチャ番号２，４，１２であるＢ２，Ｐ４，Ｂ１２のみを選択して表示する、
ことを特徴とする画像復号処理装置。
【請求項５】
特定のフレームパターンで構成される、１からｎ番までのピクチャ番号が付されたフレームデータからなるピクチャ群から、所定のピクチャ番号のフレームデータを選択して復号する復号ステップと、
前記デコードステップで復号されたフレームデータのうちで、所定のピクチャ番号のフレームデータを選択して表示する表示ステップとからなる、
ことを特徴とする画像復号処理方法。
【請求項６】
請求項５に記載の画像復号処理方法において、
入力されたピクチャ群が、前記特定のフレームパターンで構成されるピクチャ群か、或いは前記特定のフレームパターンで構成されるピクチャ群以外のピクチャ群かを識別する識別ステップをさらに有し、
前記識別ステップで、前記特定のフレームパターンで構成されるピクチャ群が入力されたことを識別した際に、前記復号ステップ、及び表示ステップを実行する、
ことを特徴とする画像復号処理方法。
【請求項７】
請求項６に記載の画像復号処理方法において、
前記識別ステップにおける識別結果に基づいて、入力された全てのピクチャ群に対する、特定のフレームパターンで構成されるピクチャ群の出現率を検出する出現率検出ステップをさらに有し、
所定の倍速での再生命令がなされた際の前記出現率検出ステップでの検出結果が、予め定められた所定の出現率以上の場合に、以降に入力されるピクチャ群に対して、前記識別ステップ、前記復号ステップ、及び前記表示ステップを実行する、
ことを特徴とする画像復号処理方法。
【発明の詳細な説明】
【技術分野】
【０００１】
本発明は、ＭＰＥＧ方式で圧縮処理され記録媒体に記録された映像信号の高倍速再生を実現する画像復号処理装置、及び画像処理方法に関する。
【背景技術】
【０００２】
ＭＰＥＧ方式で圧縮された映像信号を高速に再生する発明としては、例えば、特許文献１に開示されている「映像信号再生方法及び映像信号再生装置」がある。
【０００３】
この特許文献1に記載の発明は、ＭＰＥＧ方式で圧縮符号化した映像信号が記録される記録媒体から通常の再生速度のｋ倍の再生速度で前記映像信号を高速再生する映像信号再生方法及び映像信号再生装置を開示するものであり、連続する複数枚のピクチャにおいて、Ｉピクチャが存在する場合には、Ｉピクチャを選択し、Ｉピクチャが存在しなければ、先頭のＰピクチャを選択し、Ｐピクチャが存在しなければ、何れか１枚のＢピクチャを選択するアルゴリズムを有する。そして、前記連続する複数枚のピクチャ中の出力したピクチャ以降にＰピクチャが存在しない場合には、前記複数枚のピクチャに続くｋ枚分のピクチャの中から前記アルゴリズムに従い、１枚のピクチャを決定して前記出力ピクチャに続くピクチャとして出力する一方、前記複数枚のピクチャ中の出力したピクチャ以降にＰピクチャが存在する場合には、前記出力ピクチャの直後のＰピクチャおよび前記複数枚のピクチャ中の該Ｐピクチャ以降の全てのピクチャと、前記複数枚のピクチャに続くｋ枚分のピクチャとの中から前記アルゴリズムに従い、一枚のピクチャを決定して前記出力ピクチャに続くピクチャとして出力することを特徴とするものである。
【特許文献１】特開２００１−２１８１６６号公報（図１）
【発明の開示】
【発明が解決しようとする課題】
【０００４】
ところが、前記の映像再生方法を用いて、ピクチャの順序が（Ｉ１、Ｂ２、Ｂ３，Ｐ４，Ｂ５，Ｂ６，Ｐ７，Ｂ８，Ｂ９，Ｐ１０，Ｂ１１，Ｂ１２，Ｐ１３，Ｂ１４，Ｂ１５）であるようなピクチャ群に対し、例えば５倍速再生を行った場合、図１１に示すように、ピクチャ群の最初の表示位置によって再生パターンが５通りできる。
【０００５】
そして、これらの再生パターンによっては、それぞれ復号処理するフレームの位置が異なり、特に図１１の（１）以外は総復号数が７フレームとなってしまい、デコード部には通常の再生速度に必要なデコード性能に対して２倍を超える性能が必要となってしまう。
【０００６】
さらに局所的に見ると、図１１の１１０１、１１０２、１１０３、１１０４、１１０５に示すように、表示フレームとその一つ前の表示フレームとの間に、３枚の復号処理を行う必要がある箇所が発生し、通常の再生速度で必要な処理性能の３倍のデコード性能が必要となる。
【０００７】
そして、かかる問題は、再生倍速が高速になればなるほど、表示フレーム枚数に対する総復号枚数が増加するとともに、より高度なデコード性能が要求されることとなる。
【０００８】
本発明は、前記課題を解決するためになされたものであり、所定倍速の高速再生を行う際に、デコード部の処理負担を可能な限り抑えることを可能にする画像復号処理装置、及び画像復号処理方法を提供することを目的とする。
【課題を解決するための手段】
【０００９】
前記課題を解決するために、本発明に係る画像復号処理装置は、特定のフレームパターンで構成される、１からｎ番までのピクチャ番号が付されたフレームデータからなるピクチャ群から、所定のピクチャ番号のフレームデータを選択して復号する選択復号を行うデコード部と、前記デコード部により復号されたフレームデータのうちで、所定のピクチャ番号のフレームデータを選択して表示する選択表示を行う表示部とを有することを特徴とするものである。
【００１０】
また、本発明にかかる画像復号処理装置は、入力されたピクチャ群が、前記特定のフレームパターンで構成されるピクチャ群か、或いは前記特定のフレームパターンで構成されるピクチャ群以外のピクチャ群かを識別する識別処理を行う識別部を備え、前記デコード部、及び前記表示部は、前記識別部が前記特定のフレームパターンで構成されるピクチャ群が入力されたことを識別した際に、前記選択復号、及び前記選択表示をそれぞれ行うことを特徴とするものである。
【００１１】
また、本発明にかかる画像復号処理装置は、前記識別部による識別結果に基づいて、入力された全てのピクチャ群に対する、特定のフレームパターンで構成されるピクチャ群の出現率を検出する出現率検出部をさらに備え、前記識別部、前記デコード部、及び前記表示部は、所定の倍速での再生命令がなされた際の前記出現率検出部の検出結果が、予め定められた所定の出現率以上の場合には、以降に入力されるピクチャ群に対して、前記識別処理、前記選択復号、及び前記選択表示をそれぞれ行うことを特徴とするものである。
【００１２】
また、本発明にかかる画像復号処理装置は、前記特定のフレームパターンで構成されるピクチャ群が、ピクチャ番号１が付されたＩフレーム、Ｉ１と、ピクチャ番号４，７，１０，１３がそれぞれ付されたＰフレーム、Ｐ４，Ｐ７，Ｐ１０，Ｐ１３と、ピクチャ番号２，３，５，６，８，９，１１，１２，１４，１５がそれぞれ付されたＢフレーム、Ｂ２、Ｂ３，Ｂ５、Ｂ６，Ｂ８，Ｂ９，Ｂ１１，Ｂ１２，Ｂ１４，Ｂ１５とを、Ｉ１，Ｂ２，Ｂ３，Ｐ４，Ｂ５、Ｂ６，Ｐ７，Ｂ８，Ｂ９，Ｐ１０，Ｂ１１，Ｂ１２，Ｐ１３，Ｂ１４，Ｂ１５の順番で構成したピクチャ群であり、前記デコード部が、ピクチャ番号が１，２，４，７，１０，１２であるＩ１，Ｂ２，Ｐ４，Ｐ７，Ｐ１０，Ｂ１２を選択して復号し、前記表示部が、前記デコード部により復号されたＩ１，Ｂ２，Ｐ４，Ｐ７，Ｐ１０，Ｂ１２のうちで、ピクチャ番号２，４，１２であるＢ２，Ｐ４，Ｂ１２のみを選択して表示することを特徴とするものである。
【００１３】
また、本発明にかかる画像復号処理方法は、特定のフレームパターンで構成される、１からｎ番までのピクチャ番号が付されたフレームデータからなるピクチャ群から、所定のピクチャ番号のフレームデータを選択して復号する復号ステップと、前記デコードステップで復号されたフレームデータのうちで、所定のピクチャ番号のフレームデータを選択して表示する表示ステップとからなることを特徴とするものである。
【００１４】
また、本発明にかかる画像復号処理方法は、入力されたピクチャ群が、前記特定のフレームパターンで構成されるピクチャ群か、或いは前記特定のフレームパターンで構成されるピクチャ群以外のピクチャ群かを識別する識別ステップをさらに有し、前記識別ステップで、前記特定のフレームパターンで構成されるピクチャ群が入力されたことを識別した際に、前記復号ステップ、及び表示ステップを実行することを特徴とするものである。
【００１５】
また、本発明にかかる画像復号処理方法は、前記識別ステップにおける識別結果に基づいて、入力された全てのピクチャ群に対する、特定のフレームパターンで構成されるピクチャ群の出現率を検出する出現率検出ステップをさらに有し、所定の倍速での再生命令がなされた際の前記出現率検出ステップでの検出結果が、予め定められた所定の出現率以上の場合に、以降に入力されるピクチャ群に対して、前記識別ステップ、前記復号ステップ、及び前記表示ステップを実行することを特徴とするものである。
【発明の効果】
【００１６】
本発明の画像復号処理装置、及び画像復号処理方法によれば、特定のフレームパターンで構成される、１からｎ番までのピクチャ番号が付されたフレームデータからなるピクチャ群から、所定のピクチャ番号のフレームデータを選択して復号し、該復号されたフレームデータのうちで、所定のピクチャ番号のフレームデータを選択して表示することにより、復号を行うフレーム数を抑えて、可能な限り滑らかな高倍速再生を行うことを可能にする。
【００１７】
また、本発明の画像復号処理装置、及び画像復号処理方法によれば、先ず、入力されたピクチャ群が、特定のフレームパターンで構成されるピクチャ群Ａか、或いは特定のフレームパターンで構成されるピクチャ群Ａ以外のピクチャ群Ｂかを識別し、ピクチャ群Ａが入力された際に、前述した本発明による高倍速再生を実行することにより、ピクチャ群Ａとピクチャ群Ｂとで構成される映像信号においても、再生方法を切り替えながら、可能な限り滑らかな高倍速再生を行うことが可能になる。
【００１８】
また、本発明の画像復号処理装置、及び画像復号処理方法によれば、入力されたピクチャ群がピクチャ群Ａであるかピクチャ群Ｂであるかの識別結果に基づいて、入力された全てのピクチャ群に対するピクチャ群Ａの出現率を検出し、ピクチャ群Ａの出現率に基づいて、上述した本発明の高倍速再生方法を使用するか、従来技術の高倍速再生方法を使用するかの選択を行うことができ、入力映像信号により適した高倍速再生を行うことができる。
【発明を実施するための最良の形態】
【００１９】
（実施の形態１）
以下、本発明の実施の形態１による画像復号処理装置について説明する。
図１は、本発明の実施の形態１による画像復号処理装置の構成を示すブロック図である。
【００２０】
図において、デコード部１０１は、高速再生時に、特定のフレームパターンで入力されるピクチャ群（ＧＯＰ）から、予め定められたフレームデータを選択して復号を行うものであり、予め設定された特定のパターンで入力されるピクチャ群（ＧＯＰ）から、復号を行う所定のフレームデータを検出し、当該フレームデータを復号して表示部１０２に出力する。
【００２１】
表示部１０２は、デコード部１０１により復号されたフレームデータのうちで、予め定められたフレームデータを選択して表示する。
そして、この際、デコード部１０１で復号を行うフレームデータの特定、及び表示部１０２で表示を行うフレームデータの特定は、入力されるピクチャ群の各フレームデータに付されたピクチャ番号に基づいて行われる。なお、ピクチャ番号とは、各フレームデータに付されたＩＤ等、各フレームデータを特定できる情報であればよい。
【００２２】
次に、本発明の実施の形態１による画像復号処理装置の動作について図２を用いて説明する。
図２は、本発明の実施の形態１による画像復号処理装置の動作を説明するための説明図である。なお、ここでは、入力画像として図２に示すようなフレームで構成されるピクチャ群が継続して入力されるものとし、画像復号処理装置は、かかる特定のパターンで入力されるピクチャ群を５倍速で再生するものとする。また、図中のＩ，Ｂ，Ｐの横に付された数字はピクチャ番号を示す。
【００２３】
図２において、入力映像信号（Ｉ１，Ｂ２，Ｂ３、Ｐ４，Ｂ５，Ｂ６，Ｐ７，Ｂ８，Ｂ９，Ｐ１０，Ｂ１１，Ｂ１２，Ｐ１３，Ｂ１４，Ｂ１５）のピクチャ群が入力されると、デコード部１０１では、入力映像信号（Ｉ１，Ｂ２，Ｂ３、Ｐ４，Ｂ５，Ｂ６，Ｐ７，Ｂ８，Ｂ９，Ｐ１０，Ｂ１１，Ｂ１２，Ｐ１３，Ｂ１４，Ｂ１５）のピクチャ群の中から、ピクチャ番号が１，２，４，７，１０,１２のフレームデータである（Ｉ１，Ｂ２，Ｐ４，Ｐ７，Ｐ１０，Ｂ１２）のみを選択して、復号処理を行い、表示部１０２に出力する。
【００２４】
なお、このデコード部１０１が復号する予め定められたピクチャ番号は、入力されるピクチャ群のフレームデータの構成に応じて予め決定されるものであり、入力されたピクチャ群を所定の倍速で再生する際に、復号を行うフレームデータ数がもっとも少なくなるように設定される。
【００２５】
次に、デコード部１０１で復号された（Ｉ１，Ｂ２，Ｐ４，Ｐ７，Ｐ１０，Ｂ１２）は、表示部１０２に出力され、表示部１０２において、（Ｉ１，Ｂ２，Ｐ４，Ｐ７，Ｐ１０，Ｂ１２）の中から、ピクチャ番号が２，４，１２のフレームデータである（Ｂ２，Ｐ４，Ｂ１２）が選択されて表示処理が行われる。
なお、この表示部１０２が表示する予め定められたピクチャ番号は、入力されるピクチャ群のフレームデータの構成に応じて予め決定されている。
【００２６】
次に、この実施の形態１による画像復号処理装置が行う処理の流れについてより詳細に説明する。
５倍速再生が設定されると、デコード部１０１ではフレームＩ１とフレームＢ２の復号処理を行う。
【００２７】
フレームＢ２の復号処理終了後、表示部１０２はフレームＢ２の表示処理を行う。表示部１０２でフレームＢ２の表示処理を行っている間に、デコード部１０１では、フレームＢ３を読み捨て、フレームＰ４を復号処理し、フレームＢ５とフレームＢ６を読み捨て、フレームＰ７の復号処理を行う。
【００２８】
そして、フレームＰ７の復号処理終了後、表示部１０２ではフレームＰ４の表示処理を行う。表示部１０２でフレームＰ４の表示処理を行っている間に、デコード部１０１では、フレームＢ８とフレームＢ９を読み捨て、フレームＰ１０を復号処理し、フレームＢ１１を読み捨て、フレームＢ１２を復号処理する。
【００２９】
次に、フレームＢ１２の復号処理が終了すると、表示部１０２ではフレームＢ１２の表示処理を行う。表示部１０２でフレームＢ１２の表示処理を行っている間に、デコード部１０１ではフレームＰ１３，フレームＢ１４，フレームＢ１５を読み捨て、次のピクチャ群のフレームＩ１とフレームＢ２の復号処理に移行する。
【００３０】
このように、入力映像信号（Ｉ１，Ｂ２，Ｂ３、Ｐ４，Ｂ５，Ｂ６，Ｐ７，Ｂ８，Ｂ９，Ｐ１０，Ｂ１１，Ｂ１２，Ｐ１３，Ｂ１４，Ｂ１５）のピクチャ群の中から（Ｉ１，Ｂ２，Ｐ４，Ｐ７，Ｐ１０，Ｂ１２）のみを選択して、復号処理を行い、表示部１０２において、復号処理された（Ｉ１，Ｂ２，Ｐ４，Ｐ７，Ｐ１０，Ｂ１２）から（Ｂ２，Ｐ４，Ｂ１２）のみを選択して表示処理することにより、１フレームの表示に対する復号枚数を２枚とすることができ、デコード部の処理性能を通常の再生速度に必要な処理性能の２倍に抑えて、滑らかな５倍速の再生映像を得ることが可能となる。
【００３１】
（実施の形態２）
以下、本発明の実施の形態２による画像復号処理装置について説明する。
前述した実施の形態１による画像復号処理装置では、入力映像信号として、特定のパターンのピクチャ群のみが入力されることを想定していたが、一般の映像信号においては、入力データが前記ピクチャ群のみで構成されるとは限らず、それとは異なるピクチャ群を含む場合もあり得る。そこで、本発明の実施の形態２による画像復号処理装置では、前記実施の形態１による画像復号処理装置に、さらに識別部３０１を設け、入力映像信号のピクチャ群が特定のフレームパターンで入力されるピクチャ群Ａであるか、ピクチャ群Ａ以外のピクチャ群であるピクチャ群Ｂであるかを識別し、該識別部３０１の識別結果に基づいて、デコード部３０２、及び表示部３０３の処理内容を切り替えるようにした。
【００３２】
図３は、本発明の実施の形態２による画像復号処理装置の構成を示すブロック図である。
図３において、識別部３０１は、入力映像信号のピクチャ群が特定のフレームパターンで構成されるピクチャ群Ａであるのか、ピクチャ群Ａ以外のピクチャ群であるピクチャ群Ｂであるのかを識別するものである。
【００３３】
デコード部３０２は、識別部３０１により入力映像信号がピクチャ群Ａであると識別された場合には、前記実施の形態１で説明したデコード部１０１同様、高速再生時に、特定のフレームパターンで入力されるピクチャ群（ＧＯＰ）から、予め定められたフレームデータを選択して復号を行うものであり、予め設定された特定のパターンで入力されるピクチャ群（ＧＯＰ）から、復号を行う所定のフレームデータを検出し、当該フレームデータを復号して表示部３０１に出力する。
【００３４】
一方で、識別部３０１により入力映像信号がピクチャ群Ｂであると識別された場合には、従来技術（例えば、特許文献1に開示されている方法）を用いた復号処理を行う。
表示部３０３は、識別部３０１により入力映像信号がピクチャ群Ａであると識別された場合には、前記実施の形態１で説明した表示部１０２同様、デコード部３０１により復号されたフレームデータのうちで、予め定められたフレームデータを選択して表示する。
【００３５】
一方で、識別部３０１により入力映像信号がピクチャ群Ｂであると識別された場合には、従来技術（例えば、特許文献1に開示されている方法）を用いた表示処理を行う。
【００３６】
次に、本発明の実施の形態２による画像復号処理装置の動作について、入力映像信号のピクチャ群が（Ｉ１，Ｂ２，Ｂ３，Ｐ４，Ｂ５，Ｂ６，Ｐ７，Ｂ８，Ｂ９，Ｐ１０、Ｂ１１，Ｂ１２，Ｐ１３，Ｂ１４，Ｂ１５、Ｉ１６）である時に、識別部３０１が当該ピクチャ群をピクチャ群Ａとして識別する場合を例にとって、画像復号処理装置が入力映像信号を５倍速再生する際の具体例について説明する。
【００３７】
先ず、識別部３０１の動作について説明する。
図４は、本発明の実施の形態２による画像復号処理装置の識別部３０１の動作を説明するためのフローチャートである。
【００３８】
（Ｓ４０１）識別部３０１は、新たな映像信号が入力されると、先ず、前回識別した映像信号がピクチャ群Ａに属するフレームデータであったかどうかの判定を行う。判定の結果、前回識別された映像信号がピクチャ群Ａに属するフレームデータであった場合には、ステップＳ４０５に行き、ピクチャ群Ａ以外のピクチャ群Ｂに属するフレームデータであった場合には、ステップＳ４０２に行く。
【００３９】
（Ｓ４０２）前回入力された映像信号がピクチャ群Ｂに属するフレームデータであった場合には、識別部３０１は、入力された映像信号のピクチャタイプがＩピクチャかどうかの判定を行い、入力映像のピクチャタイプがＩピクチャであればステップＳ４０４に行き、ＩピクチャでなければステップＳ４０３に行く。
【００４０】
（Ｓ４０３）入力された映像信号のピクチャタイプがＩピクチャでなかった場合には、識別部３０１は、入力された映像信号をピクチャ群Ｂに属するものと判断する。
【００４１】
（Ｓ４０４）一方で、入力された映像信号のピクチャタイプがＩピクチャであった場合には、当該映像信号の識別情報Ｎとして１を設定し、ステップＳ４０６に行く。
【００４２】
（Ｓ４０５）前回入力された映像信号がピクチャ群Ａに属するフレームデータであった場合には、前回入力された映像信号に付した識別情報Ｎをインクリメントし、当該インクリメントした識別情報Ｎを今回入力された映像信号の識別情報Ｎとして設定する。
【００４３】
また、前回入力された映像信号に付した識別情報Ｎをインクリメントした結果、識別情報Ｎが１６となる場合には、今回入力された映像信号の識別情報Ｎとして１を設定する。
【００４４】
（Ｓ４０６）識別部３０２は、図１２に示すような、ピクチャ群Ａの識別情報ＮとピクチャタイプＧ［Ｎ］の対応関係を示すテーブルを参照し、入力映像のピクチャタイプがピクチャ群Ａと一致しているかどうかの判定を行う。
【００４５】
（Ｓ４０６）判定の結果、識別情報ＮとピクチャタイプＧ［Ｎ］とが一致している場合には、識別部３０１は、入力された映像信号をピクチャ群Ａに属するものと判断する。
【００４６】
（Ｓ４０７）一方で、識別情報ＮとピクチャタイプＧ［Ｎ］とが一致していない場合には、ステップＳ４０３に行き、入力された映像信号をピクチャ群Ｂに属するものと判断する。
【００４７】
次に、デコード部３０２、及び表示部３０３の動作について説明する。
図５は、本発明の実施の形態２による画像復号処理装置のデコード部３０２、及び表示部３０３の動作を説明するためのフローチャートである。
【００４８】
（Ｓ５０１）デコード部３０２は、先ず、識別部３０２で識別された入力された映像信号のピクチャ群の判定を行う。判定の結果、入力された映像信号がピクチャ群Ａに属するフレームデータと識別されていれば、ステップＳ５０３に行き、入力された映像信号がピクチャ群Ｂに属するフレームデータと識別されていれば、ステップＳ５０２に行く。
【００４９】
（Ｓ５０２）そして、入力された映像信号がピクチャ群Ｂに属するフレームデータの場合には、従来の技術による５倍速の再生を行う。なお、詳細については後述する。
【００５０】
（Ｓ５０３）一方で、入力された映像信号がピクチャ群Ａに属するフレームデータの場合には、本発明の方法による５倍速再生を行うべく、デコード部３０２は、入力された映像信号のピクチャ番号が１、２、４、７、１０、１２の何れかであるかどうかの判定を行い、入力された映像信号のピクチャ番号が１、２、４、７、１０、１２の何れかである場合には、ステップＳ５０５に行き、ピクチャ番号が１、２、４、７、１０、１２の何れでもない場合には、ステップＳ５０４に行く。
【００５１】
（Ｓ５０４）入力された映像信号のピクチャ番号が１、２、４、７、１０、１２の何れでもない場合には、入力された映像信号であるフレームデータを読み飛ばす。
【００５２】
（Ｓ５０５）一方で、入力された映像信号のピクチャ番号が１、２、４、７、１０、１２の何れかである場合には、入力された映像信号であるフレームデータの復号を行い、復号結果を表示部３０３に出力する。
【００５３】
（Ｓ５０６）次に、表示部３０３は、入力された映像信号のピクチャ番号が２、４、１２の何れかであるかどうかの判定を行い、入力された映像信号のピクチャ番号が２、４、１２の何れかである場合には、ステップＳ５０７に行き、ピクチャ番号が２、４、１２の何れでもない場合には、復号されたフレームデータを表示することなく、処理を終了する。
【００５４】
（Ｓ５０７）入力された映像信号のピクチャ番号が２、４、１２の何れかである場合には、該復号したフレームデータを表示部３０３により表示する。
【００５５】
次に、図５のステップＳ５０２で示した、ピクチャ群Ｂの場合にデコード部３０２、及び表示部３０３が行う従来技術（例えば、特許文献1に開示されている方法）を用いた処理方法の一例について説明する。なお、ここで説明する処理方法は、あくまで一例であって、既に公知となっている何れの高倍速再生技術を適用しても良い。
【００５６】
図６は、従来技術を用いた画像復号処理を説明するためのフローチャートである。
識別部３０１により入力されたピクチャ群がピクチャ群Ｂであると識別された場合には、当該ピクチャ群の各フレーム毎に図６に示す画像復号の処理が行われる。
【００５７】
（Ｓ６０１、Ｓ６０２）先ず、入力されたフレームのピクチャタイプを判別し、当該フレームのピクチャタイプがＢピクチャであるか否かを判定する。判定の結果、入力されたフレームのピクチャタイプがＢピクチャである場合には、ステップＳ６０３に行き、Ｉピクチャ又はＰピクチャである場合には、ステップＳ６０７に行く。
【００５８】
（Ｓ６０３）入力されたフレームのピクチャタイプがＢピクチャである場合には、当該フレームが表示部３０３において表示に用いられる予定の表示予定フレームであるか否かの判断が行われ、当該フレームが表示予定フレームの場合には、ステップＳ６０４に行き、表示予定フレームでない場合には、ステップＳ６０６に行く。
【００５９】
（Ｓ６０４、Ｓ６０５）入力されたフレームが表示予定フレームである場合には、そのＢピクチャのフレームをデコード部３０２で復号し、該復号したフレームを表示部３０３により表示し、次のフレームの処理へ移行する。
【００６０】
（Ｓ６０６）一方で、入力されたフレームが表示予定フレームでない場合には、デコード部３０２において当該Ｂピクチャを読み捨てて、次のフレームの処理へ移行する。
【００６１】
（Ｓ６０７）ステップＳ６０２において、入力されたフレームのピクチャタイプがＩピクチャまたはＰピクチャであった場合には、デコード部３０２により当該ピクチャを復号する。
【００６２】
（Ｓ６０８）その後、一つ前のＩまたはＰピクチャのフレームが表示部３０３において表示に用いられる予定の表示予定フレームであるか否かの判断が行われ、一つ前のＩまたはＰピクチャのフレームが表示予定フレームである場合には、ステップＳ６０９に行き、表示予定フレームでない場合には、ステップＳ６１０に行く。
【００６３】
（Ｓ６０９）ステップＳ６０８における判断の結果、一つ前のＩまたはＰピクチャのフレームが表示予定フレームである場合には、その一つ前のＩまたはＰピクチャのフレームをデコード部３０２で復号し、該復号したフレームを表示部３０３により表示する。
【００６４】
（Ｓ６１０）一方で、一つ前のＩまたはＰピクチャのフレームが表示予定フレームでない場合には、デコード部３０２において、もう１フレーム復号する余裕があるかどうかの判定を行い、デコード部３０２がもう１フレーム復号する余裕がある場合には、次のフレームの処理に移行する。一方で、もう一フレーム復号する余裕がない場合には、ステップＳ６０９に行き、一つ前のＩまたはＰピクチャを表示して、次のフレームの処理へ移行する。
【００６５】
次に、図７は、本発明の実施の形態２による画像復号処理装置により入力映像信号に対して５倍速再生を行った場合の処理結果を示した図である。
図７に示すように、本発明の実施の形態２による画像復号処理装置によれば、識別部３０１により、入力映像信号がピクチャ群Ａであると識別されている限りにおいては、本発明による５倍速再生が行われ、識別部３０１が、ピクチャ群Ａ以外のピクチャ群であるピクチャ群Ｂを識別した場合には、当該入力映像信号に対して従来技術による５倍速再生が行われることとなる。
【００６６】
このように、本発明の実施の形態２による画像復号処理装置によれば、入力されたピクチャ群が、特定のフレームパターンで構成されるピクチャ群Ａか、或いは特定のフレームパターンで構成されるピクチャ群Ａ以外のピクチャ群Ｂかを識別する識別部を備えたことにより、ピクチャ群の構成に応じて、本発明による高倍速再生方法と従来技術による高倍速再生方法とを切り替えて使用することができ、ピクチャ群Ａとピクチャ群Ｂとで構成される映像信号においても、再生方法を切り替えながら、可能な限り滑らかな高倍速再生を行うことが可能になる。
【００６７】
（実施の形態３）
以下、本発明の実施の形態３による画像復号処理装置について説明する。
図８は、本発明の実施の形態３による画像復号処理装置の構成を示すブロック図である。
【００６８】
なお、前記本発明の実施の形態２による画像復号処理装置では、入力映像信号の中に含まれる（Ｉ１，Ｂ２，Ｂ３，Ｐ４，Ｂ５，Ｂ６，Ｐ７，Ｂ８，Ｂ９，Ｐ１０，Ｂ１１，Ｂ１２，Ｐ１３，Ｂ１４，Ｂ１５、Ｉ１６）で構成されるピクチャ群Ａを識別部により識別した後、所定の復号処理・表示処理を行うものについて説明したが、ピクチャ群Ａに対する処理においては表示処理を行うフレームが予め強制的に決定されているため、ピクチャ群Ａに対する処理からピクチャ群Ｂに対する処理への切り替えや、その逆のピクチャ群Ｂに対する処理からピクチャ群Ａに対する処理への切り替えが生じた際には、処理の切り替えの前後において必ずしも表示されるフレームのフレーム間隔が同じになるとは限らず、ピクチャ群Ａに対する処理とピクチャ群Ｂに対する処理との切り替えが頻繁に行われるような場合には、画像復号処理装置の処理負担が増大し、かえって良好な高倍速再生画像を得ることが出来なくなってしまう可能性がある。
【００６９】
そこで、本発明の実施の形態３による画像復号処理装置では、図８に示すように、実施の形態２による画像復号処理装置に、これまでに再生した全ピクチャ群数に対するピクチャ群Ａの出現割合を検出する出現率検出部８０１をさらに設け、高倍速再生の命令がなされた時にその時点でのピクチャ群Ａの出現率に基づいて、全てのピクチャ群に対する処理を、前記実施の形態２で説明した画像復号処理方法を適用するのか、従来（例えば、特許文献1に開示されている方法）の画像復号処理方法を適用するのかを決定するものである。なお、図８に示す出現率検出部８０１以外の各構成要素については、前述した実施の形態２による画像復号処理装置と同様であるため同じ符号を付し、ここでは説明を省略する。また、ここでピクチャ群とは、Ｉフレームの入力後、次のＩフレームが入力されるまでの１以上のフレームデータで構成される群をいうものとする。
【００７０】
図８において、出現率検出部８０１は、識別部３０１から出力されるピクチャ群Ａであるか、ピクチャ群Ａ以外のピクチャ群Ｂであるかの信号に基づいて、全ピクチャ群に占めるピクチャ群Ａの出現率を検出するものであり、識別部３０１からの出力信号に基づいて、ピクチャ群Ａとピクチャ群Ｂの出現回数をカウントし、所定の高倍速再生を行う指示がなされた際の、全ピクチャ群数に占めるピクチャ群Ａの出現率を検出する。また、かかるピクチャ群Ａの出現回数のカウント処理は、ここでは、通常再生時、高倍速再生時にかかわらず行われているものとする。
【００７１】
次に、本発明の実施の形態３による画像復号処理装置の動作について説明する。
図９、及び図１０は、本発明の実施の形態３による画像復号処理装置の動作を説明するための説明図である。なお、ここでは、高倍速再生の命令がなされた際に、出現率検出部８０１により検出されるピクチャＡの出現率が８０％以上である場合には、以降のピクチャ群に対して前記実施の形態２で説明した画像復号処理方法を適用し、８０％未満である場合には、以降のピクチャ群に対して従来の画像復号処理方法を適用するものとする。
【００７２】
図９は、ピクチャ群Ａの出現率が８０％を超える映像信号の例を示す図である。
画像信号処理装置の識別部３０１は、映像信号が入力されると、再生開始の時点から前記図４で示した方法により、入力された映像信号がピクチャ群Ａであるか、それともピクチャ群Ａ以外のピクチャ群Ｂであるかの識別を行い、当該識別結果を出現率検出部８０１に出力する。
【００７３】
出現率検出部８０１では、識別部３０１からの出力信号に基づいて、図９に示すように、ピクチャ群Ａとピクチャ群Ｂの出現回数をカウントする。
【００７４】
そして、高倍速再生を行う旨の信号がピクチャ群（６）の再生時になされると、出現率検出部８０１は、高倍速再生の実行以前に再生したピクチャ群（1）〜（６）中に占めるピクチャ群Ａの出現率を算出し（この場合約８３％）、デコード部３０２に出力する。
【００７５】
デコード部３０２では、出現率検出部８０１で検出されたピクチャ群Ａの出現率が８０％以上であるか否かを判断する。図９に示す例では、ピクチャ群Ａの出現率が８０％を超えているため、ピクチャ群（７）以降の外部装置により命令された高倍速再生処理を前記実施の形態２で説明した画像復号処理方法を適用して行う。
【００７６】
図１０は、ピクチャ群Ａの出現率が８０％未満である映像信号の例を示す図である。
画像信号処理装置の識別部３０１は、映像信号が入力されると、再生開始の時点から前記図４で示した方法により、入力された映像信号がピクチャ群Ａであるか、それともピクチャ群Ａ以外のピクチャ群Ｂであるかの識別を行い、当該識別結果を出現率検出部８０１に出力する。
【００７７】
出現率検出部８０１では、識別部３０１からの出力信号に基づいて、図１０に示すように、ピクチャ群Ａとピクチャ群Ｂの出現回数をカウントする。
【００７８】
そして、高倍速再生を行う旨の信号がピクチャ群（５）の再生時になされると、出現率検出部８０１は、高倍速再生の実行以前に再生したピクチャ群（1）〜（５）中に占めるピクチャ群Ａの出現率を算出し（この場合２０％）、デコード部３０２に出力する。
【００７９】
デコード部３０２では、出現率検出部８０１で検出されたピクチャ群Ａの出現率が８０％以上であるか否かを判断する。図１０に示す例では、ピクチャ群Ａの出現率が８０％未満であるため、ピクチャ群（７）以降の外部装置により命令された高倍速再生処理を従来の画像復号処理方法を適用して行う。なお、かかる従来の画像復号処理方法は、既に公知となっている符号化データの高倍速再生技術をいい、例えば、特許文献1に開示されている方法等を用いることが可能である。
【００８０】
このように、本発明の実施の形態３による画像復号処理装置によれば、再生中に入力映像信号の中の各ピクチャ群の出現回数を常に更新しておき、高倍速再生時に、前記実施の形態２で説明した画像復号処理方法を適用するのか、全てのピクチャ群に対して従来の画像復号処理方法を適用するのかの切り替えを行うことにより、より入力映像信号に適した高倍速再生を実行することができ、可能な限り滑らかな高倍速再生映像を得ることができる。
【００８１】
なお、本発明の実施の形態１、２、及び３では、画像復号処理装置が５倍速再生を行う場合を例にあげて説明したが、画像復号処理装置が行う再生処理の再生速度については、特に限定はなく、再生を行う再生速度に応じて、復号及び表示を行うフレームデータを適宜設定することにより、同様の効果を得ることができる。
【産業上の利用可能性】
【００８２】
本発明にかかる画像処理装置は、復号を行うフレーム数を抑えて、可能な限り滑らかな高倍速再生を行う技術として有用である。
【図面の簡単な説明】
【００８３】
【図１】本発明の実施の形態１による画像復号処理装置の構成を示すブロック図。
【図２】本発明の実施の形態１による画像復号処理装置の動作を説明するための説明図。
【図３】本発明の実施の形態２による画像復号処理装置の構成を示すブロック図。
【図４】本発明の実施の形態２による画像復号処理装置の識別部の動作を説明するためのフローチャート。
【図５】本発明の実施の形態２による画像復号処理装置のデコード部及び表示部の動作を説明するためのフローチャート。
【図６】従来の技術を用いた画像復号処理装置を説明するためのフローチャート。
【図７】本発明の実施の形態２による画像復号処理装置の動作を説明するための説明図。
【図８】本発明の実施の形態３による画像復号処理装置の構成を示すブロック図。
【図９】本発明の実施の形態３による画像復号処理装置の動作を説明するための説明図。
【図１０】本発明の実施の形態３による画像復号処理装置の動作を説明するための説明図。
【図１１】従来技術を用いて５倍速再生を行った際の復号フレーム及び表示フレームを示す図。
【図１２】ピクチャ群Ａの識別情報ＮとピクチャタイプＧ[Ｎ]の対応関係を示す図。
【符号の説明】
【００８４】
１０１、３０２  デコード部
１０２、３０３  表示部
３０１  識別部
８０１  出現率検出部
【図１】
2005348068.tif 000003
【図２】
2005348068.tif 000004
【図３】
2005348068.tif 000005
【図４】
2005348068.tif 000006
【図５】
2005348068.tif 000007
【図６】
2005348068.tif 000008
【図７】
2005348068.tif 000009
【図８】
2005348068.tif 000010
【図９】
2005348068.tif 000011
【図１０】
2005348068.tif 000012
【図１１】
2005348068.tif 000013
【図１２】
2005348068.tif 000014